(57)【特許請求の範囲】
【請求項１】
鋼板製の表部材と、辺縁に沿って連続的に延在する周縁リブ及び該周縁リブの外周側において形成される平坦な周縁部を有する鋼板製の裏部材とを備え、該裏部材の周縁部を前記表部材の周縁部に当接させた状態で結合し、該表部材と該裏部材との間に空間を形成するようにした鋼板製フロアパネルにおいて、前記表部材の周縁部と前記裏部材の周縁部とを、複数のカシメ結合部を形成するカシメ結合と、複数のハゼ折り結合部を形成するハゼ折り結合とを併用することにより結合し、前記周縁リブを前記ハゼ折り結合部付近において前記カシメ結合部付近よりも前記裏部材の辺縁に近づくように配設して、該裏部材の周縁部の幅を該カシメ結合部付近よりも該ハゼ折り結合部付近において狭めたことを特徴とする、鋼板製フロアパネル。
【請求項２】
請求項１に記載の鋼板製フロアパネルにおいて、前記カシメ結合部付近の前記表部材の端縁に前記裏部材側に向かって略９０度の角度で屈曲した第１のＬ字状屈曲部を形成し、前記裏部材の端縁に前記第１のＬ字状屈曲部に沿って屈曲した第２のＬ字状屈曲部を形成し、前記第１のＬ字状屈曲部と前記第２のＬ字状屈曲部とを重ね合わせたことを特徴とする、鋼板製フロアパネル。
【請求項３】
請求項２に記載の鋼板製フロアパネルにおいて、前記第１及び第２のＬ字状屈曲部の一方の先端部を、該第１のＬ字状屈曲部の先端部とした、前記鋼板製フロアパネル。
【請求項４】
請求項１ないし３のうちのいずれか一項に記載の鋼板製フロアパネルにおいて、前記第１及び第２のＬ字状屈曲部と前記カシメ結合部とを前記鋼板製フロアパネルの隅部の近傍に設けてなる、前記鋼板製フロアパネル。
【請求項５】
請求項１ないし４のうちのいずれか一項に記載の鋼板製フロアパネルにおいて、前記ハゼ折り結合部を、前記複数のカシメ結合部の中間部に配置してなる、鋼板製フロアパネル。
【請求項６】
請求項１ないし５のうちのいずれか一項に記載の鋼板製フロアパネルにおいて、前記第１及び第２のＬ字状屈曲部を前記ハゼ折り結合部に隣接させて形成してなる、前記鋼板製フロアパネル。
【請求項７】
請求項１ないし６のうちのいずれか一項に記載の鋼板製フロアパネルにおいて、前記表部材と前記裏部材との間に形成された前記空間に充填材を満たしてなる、前記鋼板製フロアパネル。
【発明の詳細な説明】
【０００１】
【産業上の利用分野】
本発明は、支持脚によって支持された状態で建築物の床面の上方に敷設され、床面上に二重床を構成する、鋼板製フロアパネルに関するものである。
【０００２】
【従来の技術】
鋼板製フロアパネルは、従来から、一般に、プレス成形された鋼板製の表部材と裏部材とをかしめ等の連結手段によって一体化し、内部に充填材を満たして構成されている。例えば、実開平１−１７９９４２号には、表部材と裏部材とを、それらの周縁部と、裏面板に形成した複数のドーム状突起の頂部と表部材の裏面とで接触させ、これらの接触部に通常のカシメ加工を施して両者を接合した金属製床パネルが開示されている。
【０００３】
【発明が解決しようとする課題】
しかし、上述の実開平１−１７９９４２号に開示されたフロアパネルにおいては、表部材の周縁部と裏部材の周縁部とが全周に亘ってカシメ加工のみによって締結されていることから、フロアパネルの周縁部全周にカシメ加工箇所を多数必要とし、その各カシメ加工箇所におけるカシメ結合を的確に行うために、表部材の周縁部及び裏部材の周縁部を、全周に亘って比較的広い幅をもって平坦状態としなければならない。このため、このようなフロアパネルの周縁部は、全周に亘って幅広な平坦部を有することになり、そのようなフロアパネルの周縁部は、幅広なものほど強度が低下して、変形が起きやすい。
【０００４】
本発明の目的は、フロアパネル周縁部における強度を向上させることができる鋼板製フロアパネルを提供することにある。
【０００５】
【課題を解決するための手段】
本発明の鋼板製フロアパネルは、鋼板製の表部材と、辺縁に沿って連続的に延在する周縁リブ及び該周縁リブの外周側において形成される平坦な周縁部を有する鋼板製の裏部材とを備え、該裏部材の周縁部を前記表部材の周縁部に当接させた状態で結合し、該表部材と該裏部材との間に空間を形成するようにした鋼板製フロアパネルにおいて、前記表部材の周縁部と前記裏部材の周縁部とを、複数のカシメ結合部を形成するカシメ結合と、複数のハゼ折り結合部を形成するハゼ折り結合とを併用することにより結合し、前記周縁リブを前記ハゼ折り結合部付近において前記カシメ結合部付近よりも前記裏部材の辺縁に近づくように配設して、該裏部材の周縁部の幅を該カシメ結合部付近よりも該ハゼ折り結合部付近において狭めたことを特徴とする。
【０００６】
このような構成の鋼板製フロアパネルにおいては、その周縁部の締結を、カシメ結合とハゼ折り結合とにより的確に行うことができる一方、周縁リブをハゼ折り結合部付近においてカシメ結合部付近よりも裏部材の辺縁に近づくように配設して、該裏部材の周縁部の幅を該カシメ結合部付近よりも該ハゼ折り結合部付近において狭めていることから、裏部材の周縁部が幅広状態の一定幅で該裏部材の全周に亘って形成されている場合に比べて、その裏部材の平坦な周縁部の強度を高めることができる。これにより、フロアパネル周縁部における強度を向上させて該フロアパネル周縁部を変形しにくくすることができ、それに伴って、フロアパネル周縁部の結合強度をも向上させることができる。
【０００７】
また、フロアパネル周縁部のカシメ結合部付近に形成された第１及び第２のＬ字状屈曲部は、リブ構造を構成することになり、そのリブ効果により、カシメ結合部が位置する平坦な周縁部の強度を向上させて該周縁部の変形を防止できる。
【０００８】
更に、第１及び第２のＬ字状屈曲部の一方の先端部を他方の先端部の方向に屈曲させ、両先端部の端面（切断面）を対向させることにより、その端面を施工者（又は使用者）に当たらなくすることができ、屈曲部の端面により施工者等が手指等を負傷する事態を回避することができる。この場合、第１及び第２のＬ字状屈曲部の一方の先端部を、第１のＬ字状屈曲部の先端部とするときには、第１及び第２のＬ字状屈曲部のいずれの端面も外側に現れず、上記効果を一層、確実なものにすることができると共に、見栄えを向上させることができる。
【０００９】
なお、表部材と裏部材とはカシメ結合によって結合され、カシメ結合は上下方向への加工であるから、結合時に表部材と裏部材とがずれることなく、正確に結合される。
【００１０】
第１及び第２のＬ字状屈曲部とカシメ結合部を鋼板製フロアパネルの隅部の近傍に設けることにより、フロアパネルの隅部の強度を向上させることができる。
【００１１】
ハゼ折り結合部を複数のカシメ結合部の中間部に配置することにより、フロアパネル周縁部の強度を高めつつ、表部材と裏部材との結合強度をバランスよく確保できる。
【００１２】
第１及び第２のＬ字状屈曲部をハゼ折り結合部に隣接させて形成することにより、ハゼ折り結合部付近におけるフロアパネル周縁部の強度を向上させて、ハゼ折り結合による結合強度を向上させることができる。
【００１３】
また、カシメ結合部がカシメ孔を画成する壁部とこの壁部の端面に圧接した変形部分とを有するように構成すれば、この変形部分は壁面の端面に対して二重に屈曲した係合部分を有するから、高い結合強度を得ることができる。また、カシメ孔を画成する壁部はカシメ孔の周囲に強度を付加するリブ構造を構成するから、カシメ孔の変形が防止され、カシメ結合による結合強度を向上させることができると共にフロアパネルの強度を向上させることができる。
【００１４】
また、カシメ結合部の変形部分の端面に一つ又は複数個の押圧部を形成することにより、変形部分の強度を更に向上させることができる。この押圧部は、変形部分の端面の中央部に一つ形成することもできるし、複数個の押圧部を変形部分の端面に一定間隔をおいて放射状に形成することもできる。
【００１５】
カシメ孔を画成する壁部はバーリング加工により形成することができ、また、カシメ突起は円筒絞り加工によって形成することができる。
【００１６】
そして、鋼板製フロアパネルの表部材と裏部材との間に形成された空間に充填材を満たすことにより、鋼板製フロアパネルの耐荷重強度を大幅に向上させることができる。
【００１７】
【発明の実施の形態】
以下、本発明の実施例を図面を参照して説明する。
【００１８】
第１図ないし第５図は本発明の一つの実施例である鋼板製フロアパネルの全体構成を示す。この鋼板製フロアパネル１は、所定厚の鋼板をプレス成形することによって形成した、全体として方形の表部材２と、この表部材２と整合するような形状にプレス成形された鋼板製の裏部材３とを有する。
【００１９】
表部材２の上面２ａには、その全面に亙ってカシメ用の凹所２ｃが複数個形成され、また、その四辺には表部材２を裏部材３に締結させるためのはぜ折り部２ｄが間隔をおいて適当数形成されている。更に、はぜ折り部２ｄに隣接した位置には、裏部材３の方向に垂下する当接板２ｅが各辺について２枚又は３枚ずつ表部材３に一体形成されている。これらの当接板２ｅは、フロアパネル１の敷設時に、隣接するフロアパネルの対応する当接板（図示せず。）に当接させることにより、既に敷設されたフロアパネルに対して新たに敷設するフロアパネルを位置決めするために使用される。
【００２０】
表部材２の四隅部には、また、ほぼ四分円形をした段差部２ｆが形成されている。これらの段差部２ｆは、フロアパネル１を支持脚（図示せず。）に固定するためのパネル押さえ（図示せず。）が係合するように、湾曲した形状を有する。各段差部２ｆには、また、小さなはぜ折り部２ｇが形成され、これらのはぜ折り部２ｇによって表部材２と裏部材３は締結される。
【００２１】
表部材２と裏部材４の四辺のうちの一対の辺には、それぞれ、凹状部４ａが形成され、これらの凹状部４ａは表部材２と裏部材３との締結時にそれぞれ整合して、フロアパネル１の一対の辺にそれぞれ配線引き出し用の開口部４を画成する。開口部４の三辺には段差部４ｂが形成され、表部材２に形成され、かつ、これらの段差部４ｂの裏側に折り返された、はぜ折り部２ｄ、２ｄ、２ｄは、表部材２と裏部材３との締結に使用されると共に、開口部４の周縁部を補強する。なお、第５図中、段差部４ｂの一対の小孔４ｃは、開口部４を閉塞するための蓋体（図示せず。）の裏面の突起（図示せず。）と係合して、段差部４ｂに蓋体を係止するために形成されている。
【００２２】
裏部材３には、プレス成形によって、複数種類の補強用リブからなるリブ構造が形成されている。このリブ構造は、裏部材３の辺縁に沿って連続的に延在する周縁リブ５を有し、この周縁リブ５はフロアパネル１の各辺の中央部で内方へ湾曲した湾曲部５ａをそれぞれ有する。湾曲部５ａは、フロアパネル１の一対の辺縁においてはフロアパネル１の開口部４との干渉を避けつつ連続するために設けられ、また、他の一対の辺縁においてはフロアパネル１の強度の対称性を得ると共に、後加工で切り欠き部（開口等）を周縁リブの連続性を害することなく形成するために形成されている。このような湾曲部５ａをも含めて、周縁リブ５はフロアパネル１の辺縁に沿って、途切れることなく、連続的に延在する。
【００２３】
裏部材３には、また、フロアパネル１の対角線方向に延在する対角リブ６、７が形成され、対角リブ６、７は、裏部材３の中央部に形成された中央リブ８を介して、連続的に延在する。中央リブ８は裏部材３の周縁リブ５の内側に形成され、裏部材３の中央部において全体として方形をなすように連続的に延在する。周縁リブ５と対角リブ６、７と中央リブ８は互いに同一の高さで延在する。この実施例では中央リブ８が形成されているが、中央リブ８は必ずしも形成する必要はない。中央リブ８を設けることにより、フロアパネル１の中央部の強度を大幅に向上させることができる。
【００２４】
周縁リブ５と対角リブ６、７と中央リブ８の間には中間リブ９が形成され、中間リブ９はリブ５、６、７、８よりも低い位置に延在する。中間リブ９はリブ５、６、７、８を連結し、かつ、それ自身も連続的に延在する。中間リブ９の両側には表部材２の裏面に当接する凹部１０がそれぞれ形成されている。各凹部１０の底面の中央部にはカシメ用の小孔（図示せず。）が形成されている。
【００２５】
中央部に位置する一対の凹部１０、１０の間には低位リブ１１が形成されている。低位リブ１１は、周縁リブ５の湾曲部５ａと中央リブ８とを連結すると共に、これらの一対の凹部１０、１０の側壁を連結し、それ自身も連続的に延在する。低位リブ１１は中間リブ９よりも更に低位に形成され、他のリブ５、６、７、８、９との関係は第４図に示す通りである。すなわち、同図に示されている通り、中間リブ９は、周縁リブ５、５ａ、対角リブ６、７、中央リブ８から距離ｌだけ低い位置に形成され、また、低位リブ１１は距離ｌよりも大きな距離ｍだけ低い位置に形成されている。
【００２６】
中央リブ８の中心には中心リブ１２が形成され、中心リブ１２は中央リブ８から距離ｎだけ低い位置に形成されている。中心リブ１２はそれを囲繞する中央リブ８に連続し、更に、中心リブ１２自身も切れ目なく連続する。中心リブ１２の四隅部には表部材２の裏面に当接する４つの凹部１３が形成され、凹部１３は凹部１０と同様に平坦な底面を有する。凹部１０、１３は、表部材２と裏部材３との接合時に、表部材２の裏面に当接して荷重を支持するための柱を構成するから、より大きな荷重を支持するためには凹部１０、１３の側壁の傾斜角度は、凹部の底面の法線に対して出来るだけ鋭角に傾斜することが好ましい。その理由は、凹部の耐荷重性能を向上させると共に、表部材２と裏部材３の間に形成された空間に充填材を満たし、これを固化させたとき、凹部１０、１３の側壁の傾斜角度が凹部の底面の法線に対して大きな角度であるほど、凹部１０、１３の周囲に充填材の薄肉部が生成され、これによって強度低下を生じる可能性があるからである。このような薄肉部の生成を防止するため、凹部１０、１３の側壁の傾斜角度を、凹部の底面の法線に対して出来るだけ鋭角にすることが好ましい。
【００２７】
表部材２と裏部材３とを一体化するには、先ず、表部材２と裏部材３を位置合わせし、表部材２の裏面に裏部材３の凹部１０、１３を当接させる。次いで、プレス加工により、表部材２と裏部材３とを凹部１０、１３でカシメ加工してカシメ部１４を形成し、フロアパネル１の周縁部においても同様にカシメ加工を施してカシメ部１５を形成する。これらのカシメ部１４、１５による結合の外に、表部材２と裏部材３とは、フロアパネル１の周縁部において、表部材２のはぜ折り部２ｄを裏部材３に沿って折り曲げることによっても結合されている。これらのカシメ加工及びハゼ折り加工は同時に行うこともできるし、複数工程に分けて行うこともできる。
【００２８】
そして、フロアパネル１の裏部材３の四隅部にそれぞれ突起Ｐを設け、また、表部材２の対応する箇所にこれらの突起Ｐに係合する凹所Ｑを形成すると、工場からの出荷時等にフロアパネル１を積み重ねる場合に積み重ねたフロアパネル１が互いにずれることを防止することができる。
【００２９】
さて、第６図は第１図のＤ−Ｄ線に沿った断面を示し、この図にはフロアパネル１の周縁部の結合構造が示されている。カシメ部１５は、第８図に示したフロアパネル１の非周縁部のカシメ部１４と同一の構造を有し、いずれのカシメ部も次のような構造を有する。すなわち、裏部材３の表部材２に対する接触部１６にバーリング加工を施して、これにより表部材２とは反対の方向へ突出した円筒状の壁部１７によってカシメ孔１８を画成する。また、表部材２のカシメ孔１８に対応する位置には円筒絞り加工により裏部材３方向へ突出したカシメ突起１９を形成し、このカシメ突起１９をカシメ孔１８に嵌入させた状態で表部材２と裏部材３とを重ね合わせる。この状態で、カシメ突起１９の先端部分はカシメ孔１８の壁部１７から突出しているから、この先端部分を押圧して変形部分１９ａを形成する。変形部分１９ａはその周縁部が二重に折り畳まれ、全体として円盤状をなす。変形部分１９ａは、その二重に折り畳まれた周縁部を壁部１７を押し潰さない状態で壁部１７の端面に接触させている。このため、カシメ部１５はフロアパネル１の周縁部で表部材２と裏部材３とは強固に締結される。なお、第８図に示すように、フロアパネル１の非周縁部のカシメ部１４も、カシメ部１５と同様に、それ自体が補強用のリブ構造を提供するから、カシメ部１４によりフロアパネル１の非周縁部の補強がなされる。
【００３０】
第６図から明らかなように、カシメ部１５に近接した位置には裏部材３の方向へ垂下した当接板２ｅが形成されている。この当接板２ｅは、表部材２の端縁を裏部材３側にほぼ９０度の角度で屈曲させて形成した第１のＬ字状屈曲部Ｓを有し、第１のＬ字状屈曲部Ｓに沿って屈曲した裏部材３の第２のＬ字状屈曲部Ｔが第１のＬ字状屈曲部Ｓに重ね合わされている。第２のＬ字状屈曲部Ｔは、一方において、第１のＬ字状屈曲部Ｓを補強するとともに、他方において、カシメ部１５のごく近傍にリブ構造を提供するから、カシメ部１５周辺の平坦な面を補強するという機能を有する。更に、これらのＬ字状屈曲部Ｓ、Ｔは、表部材２と裏部材３とのカシメ結合時に両部材２、３間に位置ずれが生じるのを防止するという機能をも果たす。第１のＬ字状屈曲部Ｓの先端部は第２のＬ字状屈曲部Ｔの先端部の方向に曲成され、フロアパネル１の施工者が手指等を傷つけることがないように配慮されている。第７図に示すように、第２のＬ字状屈曲部Ｔの先端部を第１のＬ字状屈曲部Ｓの先端部方向に屈曲させても同じである。
【００３１】
第９図及び第１０図はカシメ部１５の変形態様を示し、このカシメ部１５の変形部分１９ａには放射方向に複数個の押圧部１９ｂが形成されている。押圧部１９ｂを形成することにより、変形部分１９ａの強度が向上するから、カシメ部１５の締結強度を向上させることができる。
【００３２】
第１１図及び第１２図はカシメ部１５の更に他の変形態様を示し、このカシメ部１５の変形部分１９ａの中央部には単一の押圧部１９ｃが形成されている。この押圧部１９ｃを形成することにより、変形部分１９ａの強度を向上させることができるから、カシメ部１５の締結強度を向上させることができる。
【００３３】
第１３図及び第１４図はカシメ部１５の更に他の変更態様を示し、このカシメ部１５０の特徴は次の事項にある。表部材２の裏部材３に対する接触部１６０にバーリング加工を施し、裏部材３とは反対の方向に突出した壁部１７０を形成する。壁部１７０は中央にカシメ孔１８０を画成し、その周囲に環状の溝２００を有する。環状の溝２００は表部材２にバーリング加工を施すときに同時に成形しても良いし、バーリング加工の前工程又は後工程として加工してもよい。他方、裏部材３には円筒絞り加工によりカシメ突起１９０を形成する。このカシメ突起１９０は、表部材２の方向へ突出し、表部材２と裏部材３とを重ね合わせたときにカシメ孔１８０に嵌入する位置に形成される。裏部材３のカシメ突起１９０の周囲には表部材２の環状の溝２００に嵌合する形状を有する環状の溝２１０が形成され、カシメ突起１９０をカシメ孔１８０に嵌入したとき、環状の溝２１０の内部に環状の溝２００が嵌合するように構成されている。この状態において、カシメ突起１９０の先端部分はカシメ孔１８０の壁部１７０から突出しているから、この先端部分を押圧して変形部分１９０ａを形成する。変形部分１９０ａはその周縁部が二重に折り畳まれ、全体として円盤状をなす。変形部分１９０ａはその二重に折り畳まれた周縁部を、壁部１７０を押し潰さない状態で、壁部１７０の端面に圧接させている。これにより、表部材２と裏部材３は強固に締結される。そして、このとき変形部分１９０ａの表面と表部材２の表面とは面一になるように構成される。
【００３４】
第１５図及び第１６図は、第１３図及び第１４図に示したカシメ部１５０の変形態様を示し、このカシメ部１５０の変形部分１９０ａには放射方向に複数個の押圧部１９０ｂが形成されている。この押圧部１９０ｂを形成することにより、変形部分１９０ａの強度を向上させることができるから、カシメ部１５０の締結強度を向上させることができる。なお、放射方向に配置された押圧部１９０ｂの代わりに、第１０図及び第１１図に示したような単一の押圧部を形成することもできる。
【００３５】
そして、フロアパネル１の裏部材３の四隅部にそれぞれ突起Ｐを設け、また、表部材２の対応する箇所にこれらの突起Ｐに係合する凹所Ｑを形成すると、工場からの出荷時等にフロアパネル１を積み重ねる場合に積み重ねたフロアパネル１が互いにずれることを防止することができる。
【００３６】
【発明の効果】
本発明の鋼板製フロアパネルによれば、その周縁部の締結を、カシメ結合とハゼ折り結合とにより的確に行うことができる一方、周縁リブをハゼ折り結合部付近においてカシメ結合部付近よりも裏部材の辺縁に近づくように配設して、該裏部材の周縁部の幅を該カシメ結合部付近よりも該ハゼ折り結合部付近において狭めていることから、裏部材の周縁部が幅広状態の一定幅で該裏部材の全周に亘って形成されている場合に比べて、裏部材の平坦な周縁部の強度を高めることができる。これにより、フロアパネル周縁部における強度を向上させて該フロアパネル周縁部を変形しにくくすることができ、それに伴って、フロアパネル周縁部の結合強度をも向上させることができる。
【００３７】
また、フロアパネル周縁部のカシメ結合部付近に形成された第１及び第２のＬ字状屈曲部によりリブ構造を構成して、そのリブ効果により、カシメ結合部が位置する平坦な周縁部の強度を向上させて該周縁部の変形を防止できる。
【００３８】
更に、第１及び第２のＬ字状屈曲部の一方の先端部を他方の先端部の方向に屈曲させ、両先端部の端面を対向させることにより、屈曲部の端面により施工者が手指等を負傷する事態を回避することができる。
【００３９】
しかも、第１及び第２のＬ字状屈曲部の一方の先端部を、第１のＬ字状屈曲部の先端部とするときには、第１及び第２のＬ字状屈曲部のいずれの端面も外側に現れないようにして、上記効果を一層、確実なものにすることができると共に、見栄えを向上させることができる。
【００４０】
なお、表部材と裏部材とはカシメ結合によって結合され、カシメ結合は上下方向への加工であるから、結合時に表部材と裏部材とがずれることなく、正確に結合される。
【００４１】
第１及び第２のＬ字状屈曲部とカシメ結合部を鋼板製フロアパネルの隅部の近傍に設けることにより、フロアパネルの隅部の強度を向上させることができる。
【００４２】
ハゼ折り結合部を複数のカシメ結合部の中間部に配置することにより、フロアパネル周縁部の強度を高めつつ、表部材と裏部材との結合強度をバランスよく確保できる。
【００４３】
第１及び第２のＬ字状屈曲部をハゼ折り結合部に隣接させて形成することにより、ハゼ折り結合部付近におけるフロアパネル周縁部の強度を向上させて、ハゼ折り結合による結合強度を向上させることができる。
【００４４】
また、カシメ結合部がカシメ孔を画成する壁部とこの壁部の端面に圧接した変形部分とを有するように構成すれば、この変形部分は壁面の端面に対して二重に屈曲した係合部分を有するから、高い結合強度を得ることができる。また、カシメ孔を画成する壁部はカシメ孔の周囲に強度を付加するリブ構造を構成するから、カシメ孔の変形が防止され、カシメ結合による結合強度を向上させることができると共にフロアパネルの強度を向上させることができる。
【００４５】
また、カシメ結合部の変形部分の端面に一つ又は複数個の押圧部を形成することにより、変形部分の強度を更に向上させることができる。
【００４６】
そして、鋼板製フロアパネルの表部材と裏部材との間に形成された空間に充填材を満たすことにより、鋼板製フロアパネルの耐荷重強度を大幅に向上させることができる。
【図面の簡単な説明】
【図１】  本発明のフロアパネルの一実施例の裏面図である。
【図２】  図１のフロアパネルの右側面図である。
【図３】  図１のフロアパネルを下方から見た側面図である。
【図４】  図１のフロアパネルのＡ−Ａ線に沿う断面図である。
【図５】  図１のフロアパネルの半上面図である。
【図６】  図１のＤ−Ｄ線に沿う断面図である。
【図７】  図６の実施例の変更態様の断面図である。
【図８】  図１のＥ−Ｅ線に沿う断面図である。
【図９】  カシメ結合部の他の実施態様の断面図である。
【図１０】  図９の平面図である。
【図１１】  カシメ結合部の更に他の実施態様の断面図である。
【図１２】  図９の平面図である。
【図１３】  カシメ結合部の更に他の実施態様の断面図である。
【図１４】  図１３の平面図である。
【図１５】  図１３のカシメ結合部の変更態様の断面図である。
【図１６】  図１５のカシメ結合部の平面図である。
【符号の説明】
１  フロアパネル
２  上部材
２ｄ  はぜ折り部
３  下部材
４  配線引き出し用の開口部
５  周縁リブ
５ａ  周縁リブの湾曲部
６、７  対角リブ
８  中央リブ
９  中間リブ
１０  凹部
１１  低位リブ
１２  中心リブ
１３  凹部
１４、１５、１５０  カシメ部
１９ａ、１９０ａ  変形部分
１９ｂ、１９０ｂ  押圧部
１６、１６０  接触部
１７、１７０  壁部
１８、１８０  カシメ孔
１９、１９０  カシメ突起
２００、２１０  環状の溝
【図１】
0003762520.tif 000002
【図２】
0003762520.tif 000003
【図３】
0003762520.tif 000004
【図４】
0003762520.tif 000005
【図５】
0003762520.tif 000006
【図６】
0003762520.tif 000007
【図７】
0003762520.tif 000008
【図８】
0003762520.tif 000009
【図９】
0003762520.tif 000010
【図１０】
0003762520.tif 000011
【図１１】
0003762520.tif 000012
【図１２】
0003762520.tif 000013
【図１３】
0003762520.tif 000014
【図１４】
0003762520.tif 000015
【図１５】
0003762520.tif 000016
【図１６】
0003762520.tif 000017